(57)【要約】【課題】長さを変更可能で通気性がよく、更に重量も軽い体向クッションを提供する。【解決手段】第１、第２の体向クッション体１１、１２をそれぞれ側部に設けられたファスナー１３、１４を介して連結した体向クッション１０であって、第１、第２の体向クッション体１１、１２はそれぞれ、１）水平に対して２５〜５０度の傾斜面を有する断面三角形の芯材１５、１６と、２）芯材１５、１６の下にある水平シート１７、１８と、芯材１５、１６の上にあって傾斜面に沿って配置される傾斜シート１９、２０と、これらを連結する背面シート２１、２２と、水平シート１７、１８及び傾斜シート１９、２０及び背面シート２１、２２の左右を連結する対となる側シート２３〜２６とを備え、かつ一部に芯材１５、１６を取り出し可能な開口部３０、３１を有する袋状カバー３２、３３と、３）開口部３０、３１に取付けられたジッパー３５、３６とを備える。【選択図】図１
0003207916.tif 000002
【実用新案登録請求の範囲】
【請求項１】
平面視して矩形の第１、第２の体向クッション体をそれぞれ側部に設けられたファスナーを介して連結した体向クッションであって、前記第１、第２の体向クッション体はそれぞれ、
１）水平に対して２５〜５０度の傾斜面を有する断面三角形の芯材と、
２）前記芯材の下にある水平シートと、前記芯材の上にあって前側が前記水平シートの前端部と連結され、前記傾斜面に沿って配置される傾斜シートと、前記水平シート及び前記傾斜シートのそれぞれの後端部を連結する背面シートと、前記水平シート及び前記傾斜シート及び前記背面シートの左右をそれぞれ連結する対となる側シートとを備え、かつ一部に前記芯材を取り出し可能な開口部を有する袋状カバーと、
３）前記開口部に取付けられたジッパーとを備え、
前記芯材として耐水性を有するポリオレフィン樹脂を用いた編成樹脂網状構造体が使用され、前記水平シートには滑り止めシート材が使用され、前記傾斜シート及び前記背面シートには通気性シート材が使用されていることを特徴とする体向クッション。
【請求項２】
請求項１記載の体向クッションにおいて、前記対となる側シートには、通気性シート材が使用されていることを特徴とする体向クッション。
【請求項３】
請求項１又は２記載の体向クッションにおいて、前記ファスナーは、前記第１の体向クッション体の側シートに設けられたループテープと、前記第２の体向クッション体の側シートに設けられたフックテープからなることを特徴とする体向クッション。
【請求項４】
請求項１〜３のいずれか１記載の体向クッションにおいて、前記芯材は嵩密度が０．０３〜０．１０ｇ／ｃｍ3 の高反発層からなることを特徴とする体向クッション。
【請求項５】
請求項１〜４のいずれか１記載の体向クッションにおいて、前記水平シートの長辺の長さは３５〜７０ｃｍ、短辺の長さは２０〜４０ｃｍ、前記背面シートの高さは１０〜２０ｃｍの範囲にあることを特徴とする体向クッション。
【考案の詳細な説明】
【技術分野】
【０００１】
本考案は、褥瘡（床ずれ）の予防や姿勢の保持及び変更に有効で、長さを調整可能な体向クッションに関する。
【背景技術】
【０００２】
従来から寝たきりの病人又は老人等（以下、使用者という）の褥瘡を防止したり、病人等の姿勢を保持させるために、使用者と寝床又はベッドとの間に、断面三角形の体向クッ
ションを挿入する措置が取られている。そのような体向クッションとしては、例えば、特許文献１には、ウレタン等で形成された山形弾力体の上部中央に突部体を着脱可能に設け、更に使用者の体格に合わせて着脱可能な補助台座Ａ、Ｂを設けた介護用体位安定クッションが提案されている。
【０００３】
また、特許文献２には、使用者の体重がかかっても変形不能な材料で形成された基材と、基材の上に積層された弾力性を有するマット部材と、マット部材の表面を覆う伸縮性及び防水性を有するカバー部材とを備えたクッションが提案されている。
【先行技術文献】
【特許文献】
【０００４】
【特許文献１】特開２００２−２８１９３号公報
【特許文献２】特開２００４−３５７８１９号公報
【考案の概要】
【考案が解決しようとする課題】
【０００５】
しかしながら、特許文献１記載のクッションは、山形弾性体の他に、突部体及び補助台座Ａ、Ｂが必要であり、構造が複雑であること、長さが短いので使用者の背中部分しか支持できないという問題があった。
また、特許文献２記載のクッションにおいても、底部に基材があるので、使用者にとっても違和感があり、更に表面を防水性を有する布地が覆っているので、長時間使用すると汗等で蒸れる等の問題があった。
更に、従来の断面三角形の体向クッションは、布団やマット等の上において、使用者の体重が掛かると体向クッションが逃げる恐れがあり、介護者が体向クッションの位置を保持する必要があった。
【０００６】
本考案はかかる事情に鑑みてなされたもので、長さを変更可能で、通気性がよく、更に重量も軽くて使用し易い体向クッションを提供することを目的とする。
【課題を解決するための手段】
【０００７】
前記目的に沿う本考案に係る体向クッションは、平面視して矩形の第１、第２の体向クッション体をそれぞれ側部に設けられたファスナーを介して連結した体向クッションであって、前記第１、第２の体向クッション体はそれぞれ、
１）水平に対して２５〜５０度の傾斜面を有する断面三角形の芯材と、
２）前記芯材の下にある水平シートと、前記芯材の上にあって前側が前記水平シートの前端部と連結され、前記傾斜面に沿って配置される傾斜シートと、前記水平シート及び前記傾斜シートのそれぞれの後端部を連結する背面シートと、前記水平シート及び前記傾斜シート及び前記背面シートの左右をそれぞれ連結する対となる側シートとを備え、かつ一部に前記芯材を取り出し可能な開口部を有する袋状カバーと、
３）前記開口部に取付けられたジッパーとを備え、
前記芯材として耐水性を有するポリオレフィン樹脂を用いた編成樹脂網状構造体が使用され、前記水平シートには滑り止めシート材が使用され、前記傾斜シート及び前記背面シートには通気性シート材が使用されている。
【０００８】
本考案に係る体向クッションにおいて、前記対となる側シートには、通気性シート材が使用されているのが好ましい。
【０００９】
本考案に係る体向クッションにおいて、前記ファスナーは、前記第１の体向クッション体の側シートに設けられたループテープと、前記第２の体向クッション体の側シートに設けられたフックテープからなるのが好ましい。
【００１０】
本考案に係る体向クッションにおいて、前記芯材は嵩密度が０．０３〜０．１０ｇ／ｃｍ3 の高反発層からなるのが好ましいが、本考案はこの数字に限定されるものではなく、更に低密度のものであってもよい。
【００１１】
本考案に係る体向クッションにおいて、前記水平シートの長辺の長さは３５〜７０ｃｍ、短辺の長さは２０〜４０ｃｍ、前記背面シートの高さは１０〜２０ｃｍの範囲にあるのが好ましいが、本考案はこの数字に限定されるものではない。
【考案の効果】
【００１２】
本考案に係る体向クッションは、ファスナーを介して連結した断面三角形の第１、第２の体向クッション体を有しているので、連結して長い体向クッションとすることができる。また、芯材に耐水性を有するポリオレフィン樹脂を用いた編成樹脂網状構造体が使用されているので、吸水性がなく、全体の軽量化が可能となる。
更に、水平シートに滑り止めシート材が用いられているので、下に敷いている布団やベッドに対して滑りがなく、傾斜シートで安定に使用者を保持できる。そして、傾斜シート及び背面シートには通気性シート材が用いられているので、湿り気を除去でき、衛生的となる。
【図面の簡単な説明】
【００１３】
【図１】本考案の一実施の形態に係る体向クッションの斜視図である。
【図２】同体向クッションの第１の体向クッション体を裏側から見た斜視図である。
【図３】同体向クッションの第１の体向クッション体を表側から見た斜視図である。
【図４】同体向クッションの使用状態の説明図である。
【考案を実施するための形態】
【００１４】
続いて、添付した図面を参照しつつ、本考案を具体化した実施例につき説明し、本考案の理解に供する。
図１〜図４に示すように、本考案の一実施の形態に係る体向クッション１０は、平面視して矩形となって、前側に頂角を有する断面三角形の第１、第２の体向クッション体１１、１２が、第１、第２の体向クッション体１１、１２のそれぞれの側部に設けられたファスナーの一例である面ファスナー１３、１４で連結されている。
【００１５】
第１、第２の体向クッション体１１、１２は、それぞれ内部に断面三角形の芯材１５、１６を有する。芯材１５、１６は、水平に対して２５〜５０度の傾斜面を有し、芯材１５、１６として耐水性を有するポリオレフィン樹脂を用いた編成樹脂網状構造体１５ａ（図３参照）が使用され、その嵩密度が０．０３〜０．１０ｇ／ｃｍ3 であって高反発層を形成し、十分なクッション性を芯材１５、１６に持たせている。
【００１６】
第１、第２の体向クッション体１１、１２は、それぞれ芯材１５、１６の下（底部）にある水平シート１７、１８と、芯材１５、１６の上にあって前側が水平シート１７、１８の前端部と連結され、使用状態で芯材１５、１６の傾斜面に沿って配置される傾斜シート１９、２０と、水平シート１７、１８と傾斜シート１９、２０のそれぞれの後端部を連結する背面シート２１、２２と、水平シート１７、１８及び傾斜シート１９、２０及び背面シート２１、２２の左右をそれぞれ連結する対となる側シート２３〜２６とを備えた袋状カバー３２、３３を有し、袋状カバー３２、３３は全部合成樹脂繊維からなる。
【００１７】
図２に示すように、第１、第２の体向クッション体１１、１２の底部にそれぞれある水平シート１７、１８は、表面に半球状で高さが０．２〜１ｍｍで直径が０．２〜１ｍｍの微小凸部２７が２０〜４０個／１ｃｍ2 の範囲で生地シートに設けられた滑り止めシート材によって構成されている。この水平シート１９、２０は殆ど通気性を有さないが、必要に応じて生地シートに通気性を確保してもよい。これによって、体向クッション１０がベッド、マット、布団等の敷物に対して高摩擦性を有し、容易に移動しない構造となっている。
【００１８】
傾斜シート１９、２０、背面シート２１、２２及び側シート２３〜２６は、通気性生地の表面に十分な強度を有する網状生地がコーティングされた通気性シート材からなっている。これによって、仮に芯材１５、１６内に体液又はその他の液体が染み込んでも、通気性がよいので、直ちに乾燥し、衛生的である。
【００１９】
水平シート１７、１８、傾斜シート１９、２０、背面シート２１、２２及び側シート２３〜２６が連結されて形成される袋状カバー３２、３３は、一部に直線状の開口部３０、３１を有する。なお、これらの連結は接着剤であってもよいし、縫合であってもよいし、これらを混合したもの（例えば、接着後縫合）であってもよい。
【００２０】
背面シート２１、２２の下部及び側シート２３〜２６の下部後側と水平シート１７、１８との間に形成される開口部３０、３１にはそれぞれジッパー（チャック）３５、３６が設けられ、ジッパー３５、３６を開けて開口部３０、３１とし、内部の芯材１５、１６を取り出せるようになっている。これによって、芯材１５、１６及び袋状カバー３２、３３を分離して洗濯又は消毒等ができる。
【００２１】
図１に示すように、第１、第２の体向クッション体１１、１２を連結する面ファスナー１３、１４は、第１、第２の体向クッション体１１、１２を並べて配置した場合に、向かい合う側シート２４、２５の一方（例えば、側シート２４）に設けられたループテープ、他方に設けられたフックテープからなる。この実施の形態においては、面ファスナー１３は三角形の生地を側シート２４にして水平シート１７、傾斜シート１９及び背面シート２１に接合又は縫合している。面ファスナー１４は三角形の生地を側シート２５内に貼り付けている。
【００２２】
この体向クッション１０の使用方法について説明する。この体向クッション１０を搬送又は収納する場合は、面ファスナー１３、１４を分離して、図３に示すように第１、第２の体向クッション体１１、１２をそれぞれの傾斜シート１９、２０を対向させて重ねる。
【００２３】
使用の場合は、図４に示すように、２つの第１、第２の体向クッション体１１、１２を面ファスナー１３、１４で連結して長尺にする。使用者４０の背中を片側から持ち上げ、体向クッション１０を差し込む。これによって、使用者４０の床ずれ（褥瘡）等を防止でき、更に、汗等で体向クッション１０が湿った場合も、衛生的に乾燥させることができる。なお、袋状カバー３２、３３から芯材１５、１６を取り出して独立に洗濯、乾燥処理を行うこともできる。
【００２４】
この実施の形態においては、第１、第２の体向クッション体１１、１２の水平シート１７、１８の長辺の長さａは３５〜７０ｃｍ、短辺の長さｂは２０〜４０ｃｍ、背面シート２１、２２の高さｃは１０〜２０ｃｍの範囲にある（図１参照）。
前記実施の形態においては、第１、第２の体向クッション体の長さが同一であったが、異なる長さとしてもよいし、更に第３、第４の体向クッション体を連接して長尺とすることもできる。
【符号の説明】
【００２５】
１０：体向クッション、１１：第１の体向クッション体、１２：第２の体向クッション体、１３、１４：面ファスナー、１５、１６：芯材、１５ａ：編成樹脂網状構造体、１７、１８：水平シート、１９、２０：傾斜シート、２１、２２：背面シート、２３〜２６：側シート、２７：微小凸部、３０、３１：開口部、３２、３３：袋状カバー、３５、３６：ジッパー、４０：使用者
【図１】
0003207916.tif 000003
【図２】
0003207916.tif 000004
【図３】
0003207916.tif 000005
【図４】
0003207916.tif 000006